(57)【要約】【課題】  タッチパネルを用いたコピー＆ペーストの操作性を向上させること【解決手段】  タッチパネルを備えた情報処理装置であって、前記タッチパネルを介したユーザ操作により表示部に表示された情報の選択を受け付け、選択を受け付けた状態で、前記タッチパネルの何れかの辺に向かってスワイプする操作を受け付ける。スワイプ操作の方向の辺に対応付けられたクリップボードに、前記選択受付手段により選択を受け付けた情報を記憶する。【選択図】  図１
2019040412.tif 000002
【特許請求の範囲】
【請求項１】
タッチパネルを備えた情報処理装置であって、
前記タッチパネルを介したユーザ操作により表示部に表示された情報の選択を受け付ける選択受付手段と、
前記選択受付手段により情報の選択を受け付けた状態で、前記タッチパネルの何れかの辺に向かってスワイプする操作を受け付けるスワイプ操作受付手段と、
前記スワイプ操作受付手段により受け付けたスワイプ操作の方向の辺に対応付けられたクリップボードに、前記選択受付手段により選択を受け付けた情報を記憶する記憶手段と、
を備えることを特徴とする情報処理装置。
【請求項２】
前記スワイプ操作受付手段は、前記タッチパネルの何れかの辺からタッチパネルの内側に向けたスワイプ操作を受け付けることを特徴とし、
前記スワイプ操作が開始された辺に対応付けられたクリップボードの記憶された情報を、当該スワイプ操作の終了位置に貼り付ける貼付手段をさらに備えることを特徴とする請求項１に記載の情報処理装置。
【請求項３】
前記スワイプ操作受付手段は、２以上の操作物によるスワイプ操作を受け付けることを特徴とし、
前記スワイプ操作受付手段により２以上の操作物によるスワイプ操作を受け付けた場合、当該スワイプ操作の方向の辺に対応付けられたクリップボードに記憶された情報を削除する削除手段と、
を備えることを特徴とする請求項１または２に記載の情報処理装置。
【請求項４】
前記情報処理装置を振る操作を検出する検出手段をさらに備え、
前記情報削除手段は、さらに、前記検出手段により情報処理装置を振る操作を検出した場合、すべての辺に対応付けられたクリップボードに記憶された情報を削除することを特徴とする請求項３に記載の情報処理装置。
【請求項５】
タッチパネルを備えた情報処理装置における情報処理方法であって、
前記情報処理装置の選択受付手段が、前記タッチパネルを介したユーザ操作により表示部に表示された情報の選択を受け付ける選択受付工程と、
前記情報処理装置のスワイプ操作受付手段が、前記選択受付工程において情報の選択を受け付けた状態で、前記タッチパネルの何れかの辺に向かってスワイプする操作を受け付けるスワイプ操作受付工程と、
前記情報処理装置の記憶手段が、前記スワイプ操作受付工程において受け付けたスワイプ操作の方向の辺に対応付けられたクリップボードに、前記選択受付工程において選択を受け付けた情報を記憶する記憶工程と、
を備えることを特徴とする情報処理方法。
【請求項６】
タッチパネルを備えた情報処理装置において実行可能なプログラムであって、
前記情報処理装置を、
前記タッチパネルを介したユーザ操作により表示部に表示された情報の選択を受け付ける選択受付手段と、
前記選択受付手段により情報の選択を受け付けた状態で、前記タッチパネルの何れかの辺に向かってスワイプする操作を受け付けるスワイプ操作受付手段と、
前記スワイプ操作受付手段により受け付けたスワイプ操作の方向の辺に対応付けられたクリップボードに、前記選択受付手段により選択を受け付けた情報を記憶する記憶手段として機能させるためのプログラム。
【発明の詳細な説明】
【技術分野】
【０００１】
本発明は、情報処理装置、情報処理方法、プログラムに関する。
【背景技術】
【０００２】
近年、タッチパネルを搭載したスマートフォンやタブレット端末が普及し、タッチパネルに表示されたキーボード（ソフトウェアキーボード）を用いて文字入力をする場面が増えている。
【０００３】
しかし、ソフトウェアキーボードは物理的なキーボードに比べ、文字入力しづらいため、効率的に文書作成ができないという課題がある。
【０００４】
文書を作成する際には、キーボードによる文字入力だけでなく、すでに入力された文字列をコピーして貼り付ける（コピー＆ペースト操作）も頻繁に行われる。そのため、効率的に文書作成をする上では、タイピングのしやすさを向上させることだけでなく、コピー＆ペーストの操作性を向上させることも重要である。
【０００５】
このコピー＆ペーストの作業を直感的な操作で実現することで作業を効率化するための仕組みとして、特許文献１には、人差し指と親指で文字列をつまみ、貼り付けたいところまでドラッグして離すことで、コピーまたは移動を行う仕組みが開示されている。
【先行技術文献】
【特許文献】
【０００６】
【特許文献１】特開２００２−３０４２５６号公報
【発明の開示】
【発明が解決しようとする課題】
【０００７】
しかしながら、特許文献１に記載された技術は、１つの情報についてのコピー＆ペーストの操作を簡便にすることは考えられているが、複数の情報をコピーし、必要な情報を必要な場所にペーストする場合の操作については考慮されていない。
【０００８】
そこで、本発明は、タッチパネルを用いたコピー＆ペーストの操作性を向上させることを目的とする。
【課題を解決するための手段】
【０００９】
本発明の情報処理装置は、タッチパネルを備えた情報処理装置であって、前記タッチパネルを介したユーザ操作により表示部に表示された情報の選択を受け付ける選択受付手段と、前記選択受付手段により情報の選択を受け付けた状態で、前記タッチパネルの何れかの辺に向かってスワイプする操作を受け付けるスワイプ操作受付手段と、前記スワイプ操作受付手段により受け付けたスワイプ操作の方向の辺に対応付けられたクリップボードに、前記選択受付手段により選択を受け付けた情報を記憶する記憶手段と、を備えることを特徴とする。
【００１０】
本発明の情報処理方法は、タッチパネルを備えた情報処理装置における情報処理方法であって、前記情報処理装置の選択受付手段が、前記タッチパネルを介したユーザ操作により表示部に表示された情報の選択を受け付ける選択受付工程と、前記情報処理装置のスワイプ操作受付手段が、前記選択受付工程において情報の選択を受け付けた状態で、前記タッチパネルの何れかの辺に向かってスワイプする操作を受け付けるスワイプ操作受付工程と、前記情報処理装置の記憶手段が、前記スワイプ操作受付工程において受け付けたスワイプ操作の方向の辺に対応付けられたクリップボードに、前記選択受付工程において選択を受け付けた情報を記憶する記憶工程と、を備えることを特徴とする。
【００１１】
本発明のプログラムは、タッチパネルを備えた情報処理装置において実行可能なプログラムであって、前記情報処理装置を、前記タッチパネルを介したユーザ操作により表示部に表示された情報の選択を受け付ける選択受付手段と、前記選択受付手段により情報の選択を受け付けた状態で、前記タッチパネルの何れかの辺に向かってスワイプする操作を受け付けるスワイプ操作受付手段と、前記スワイプ操作受付手段により受け付けたスワイプ操作の方向の辺に対応付けられたクリップボードに、前記選択受付手段により選択を受け付けた情報を記憶する記憶手段として機能させるためのプログラム。
【発明の効果】
【００１２】
本発明によれば、タッチパネルを用いたコピー＆ペーストの操作性を向上させることが可能となる。
【図面の簡単な説明】
【００１３】
【図１】情報処理装置のハードウエア構成の一例を示す図
【図２】コピー対象の文字列を選択する操作について説明した図
【図３】選択された文字列をタッチパネルの右辺に向けてスワイプアウト操作した様子を示す図
【図４】マルチタッチにより、選択された文字列をタッチパネルの右辺に向けてスワイプアウト操作した様子を示す図
【図５】タッチパネルの右辺からスワイプイン操作をした様子を示す図
【図６】文字列を選択していない状態で、マルチタッチによりタッチパネルの右辺に向けてスワイプアウト操作をした様子を示す図
【図７】情報処理装置１０１をシェイク（振る）操作をした様子を示す図
【図８】本発明の処理内容の全体像を示すフローチャート
【図９】クリア処理の詳細を示すフローチャート
【図１０】ペースト処理の詳細を示すフローチャート
【図１１】コピー処理の詳細を示すフローチャート
【発明を実施するための形態】
【００１４】
以下、図面を参照して、本発明の実施形態を詳細に説明する。
【００１５】
図１は、本発明の情報処理装置（スマートフォンやタブレット端末などのタッチパネルを備えた端末）のハードウェア構成の一例を示すブロック図である。
【００１６】
図１に示すように、情報処理装置は、システムバス２０４を介してＣＰＵ（Ｃｅｎｔｒａｌ  Ｐｒｏｃｅｓｓｉｎｇ  Ｕｎｉｔ）２０１、ＲＯＭ（Ｒｅａｄ  Ｏｎｌｙ  Ｍｅｍｏｒｙ）２０２、ＲＡＭ（Ｒａｎｄｏｍ  Ａｃｃｅｓｓ  Ｍｅｍｏｒｙ）２０３、入力コントローラ２０５、ビデオコントローラ２０６、メモリコントローラ２０７、よび通信Ｉ／Ｆコントローラ２０８が接続される。
【００１７】
ＣＰＵ２０１は、システムバス２０４に接続される各デバイスやコントローラを統括的に制御する。
【００１８】
ＲＯＭ２０２あるいは外部メモリ２１１は、ＣＰＵ２０１が実行する制御プログラムであるＢＩＯＳ（Ｂａｓｉｃ  Ｉｎｐｕｔ／Ｏｕｔｐｕｔ  Ｓｙｓｔｅｍ）やＯＳ（Ｏｐｅｒａｔｉｎｇ  Ｓｙｓｔｅｍ）や、本情報処理方法を実現するためのコンピュータ読み取り実行可能なプログラムおよび必要な各種データ（データテーブルを含む）を保持している。
【００１９】
ＲＡＭ２０３は、ＣＰＵ２０１の主メモリ、ワークエリア等として機能する。ＣＰＵ２０１は、処理の実行に際して必要なプログラム等をＲＯＭ２０２あるいは外部メモリ２１１からＲＡＭ２０３にロードし、ロードしたプログラムを実行することで各種動作を実現する。
【００２０】
入力コントローラ２０５は、キーボード２０９や不図示のマウス等のポインティングデバイス等の入力装置からの入力を制御する。入力装置がタッチパネルの場合、ユーザがタッチパネルに表示されたアイコンやカーソルやボタンに合わせて押下（指やタッチペン等の操作物でタッチ）することにより、各種の指示を行うことができることとする。
【００２１】
また、タッチパネルは、マルチタッチスクリーンなどの、複数の指でタッチされた位置を検出することが可能なタッチパネルであってもよい。
【００２２】
ビデオコントローラ２０６は、ディスプレイ２１０などの外部出力装置への表示を制御する。ディスプレイは本体と一体になったノート型パソコンのディスプレイも含まれるものとする。なお、外部出力装置はディスプレイに限ったものははく、例えばプロジェクタであってもよい。また、前述のタッチ操作を受け付け可能な装置については、入力装置も提供する。
【００２３】
なおビデオコントローラ２０６は、表示制御を行うためのビデオメモリ（ＶＲＡＭ）を制御することが可能で、ビデオメモリ領域としてＲＡＭ２０３の一部を利用することもできるし、別途専用のビデオメモリを設けることも可能である。
【００２４】
メモリコントローラ２０７は、外部メモリ２１１へのアクセスを制御する。外部メモリとしては、ブートプログラム、各種アプリケーション、フォントデータ、ユーザファイル、編集ファイル、および各種データ等を記憶する外部記憶装置（ハードディスク）、フレキシブルディスク（ＦＤ）、或いはＰＣＭＣＩＡカードスロットにアダプタを介して接続されるコンパクトフラッシュ（登録商標）メモリ等を利用可能である。
【００２５】
通信Ｉ／Ｆコントローラ２０９は、ネットワークを介して外部機器と接続・通信するものであり、ネットワークでの通信制御処理を実行する。例えば、ＴＣＰ／ＩＰを用いた通信やＩＳＤＮなどの電話回線、および携帯電話の３Ｇ回線を用いた通信が可能である。
【００２６】
尚、ＣＰＵ２０１は、例えばＲＡＭ２０３内の表示情報用領域へアウトラインフォントの展開（ラスタライズ）処理を実行することにより、ディスプレイ２１０上での表示を可能としている。また、ＣＰＵ２０１は、ディスプレイ２１０上の不図示のマウスカーソル等でのユーザ指示を可能とする。
【００２７】
次に、図２を用いて、コピー対象の文字列を選択する操作について説明する。図２に示す通り、ユーザは画面（タッチパネル）をタッチしドラッグすることで、所望の文字列を選択する。なお、本実施例においては、文字列を選択するものとして説明するが、画像データ等を選択する操作であっても良い。
【００２８】
図３は、選択された文字列をタッチパネルの右辺に向けてスワイプアウト操作した様子を示す図である。この操作により、ユーザにより選択された文字列が右辺に対応付けられたクリップボードに記憶される。なお、スワイプ操作とは、タッチパネル上で指やタッチペン等の操作物を滑らせる操作のことである。
【００２９】
図４は、マルチタッチ（２本以上の指等）により、選択された文字列をタッチパネルの右辺に向けてスワイプアウト操作した様子を示す図である。本発明においては、マルチタッチによるスワイプ操作が行われることで、すでにクリップボードに記憶されている文字列に改行コードを追加した上で、選択された文字列を新たに記憶する制御を実行する。
【００３０】
図５は、タッチパネルの右辺からスワイプイン操作をした様子を示す図である。この操作により、右辺に対応付けられたクリップボードに記憶さえた文字列が、スワイプイン操作の終了位置（タッチパネルからユーザの指が離れた位置）に貼り付けられる。
【００３１】
図６は、文字列を選択していない状態で、マルチタッチによりタッチパネルの右辺に向けてスワイプアウト操作をした様子を示す図である。図６のように、文字列を選択していない状態でマルチタッチによりスワイプアウト操作が行われると、当該スワイプアウト操作方向のクリップボード（図６ではタッチパネルの右辺に対応付けられたクリップボード）の記憶された文字列が削除される。
【００３２】
図７は、情報処理装置１０１をシェイク（振る）操作をした様子を示す図である。図７のように情報処理装置１０１をシェイク操作することで、タッチパネルのすべての辺に対応付けられたクリップボードに記憶された文字列が削除される。
【００３３】
次に、図８〜図１１のフローチャートを用いて、本発明における情報処理装置の処理について説明する。
【００３４】
なお、図８〜図１１のフローチャートに示す処理は、情報処理装置１０１のＣＰＵ２０１が所定の制御プログラムを読み出して実行する処理である。
【００３５】
図８は、本発明の処理内容の全体像を示すフローチャートである
ステップＳ１０１では、情報処理装置１０１のＣＰＵ２０１は、ユーザによる操作がシェイク操作（情報処理装置を振る操作）であるか、情報処理装置のタッチパネルに対してスワイプイン（タッチパネル（画面）の端（外側）から内側に向かってスワイプする操作）であるか、スワイプアウト（タッチパネル（画面）の内側から端（外側）に向かってスワイプする操作）であるか、いずれの操作であるかを判定する。
【００３６】
シェイク操作である場合は、処理をステップＳ１０３に移行し、クリア処理を実行する。クリア処理の詳細については、図９のフローチャートを用いて後述する。
【００３７】
スワイプイン操作である場合は、処理をステップＳ１０４に移行し、ペースト処理を実行する。ペースト処理の詳細については、図１０のフローチャートを用いて後述する。
【００３８】
スワイプアウト操作である場合は、処理をステップＳ１０２に移行する。
【００３９】
ステップＳ１０２では、情報処理装置１０１のＣＰＵ２０１は、文字列が選択されているか（すなわち、文字列の選択がされた状態でスワイプアウト操作が行われたか、文字列が選択されていない状態でスワイプアウト操作が行われたか）を判定する。
【００４０】
文字列が選択されている場合（ステップＳ１０２：ＹＥＳ）は、処理をステップＳ１０５に移行し、コピー処理を実行する。コピー処理の詳細については、図１１のフローチャートを用いて後述する。
【００４１】
文字列が選択されていない場合（ステップ１０２：ＮＯ）は、処理をステップＳ１０６に移行し、クリア処理を実行する。クリア処理の詳細は、図９のフローチャートを用いて後述する。
【００４２】
次に図９のフローチャートを用いて、クリア処理（Ｓ１０３、Ｓ１０６）の詳細について説明する。
【００４３】
ステップＳ２０１では、スワイプアウト操作により本フローチャートの処理が呼び出されたのかを判定する。すなわち、ステップＳ１０３の処理であるか、Ｓ１０６の処理であるかを判定する。
【００４４】
スワイプアウト操作により呼び出された場合（ステップＳ２０１：ＹＥＳ）は、処理をステップＳ２０２に移行する。
【００４５】
スワイプアウト操作ではない操作（本実施例においては、シェイク操作）により呼び出された場合（ステップＳ２０１：ＮＯ）は、処理をステップＳ２０５に移行する。
【００４６】
ステップＳ２０２では、スワイプアウトの方向にあるクリップボードを選択する。具体的には、ユーザにより画面の右端（右辺）に向けてスワイプされた場合には、右辺に対応付けられたクリップボードを選択する。同様に、上辺・左辺・下辺に向けてスワイプされた場合には、上辺・左辺・下辺に対応付けられたクリップボードを選択する。
【００４７】
ステップＳ２０３では、ステップＳ２０２で選択したクリップボードのコピー領域に文字列が存在するか（すなわち、すでにコピーされた文字列が存在するか）を判定する。
【００４８】
文字列が存在する場合（ステップＳ２０３：ＹＥＳ）は、処理をステップＳ２０４に移行する。
【００４９】
文字列存在しない場合は、本フローチャートの処理を終了する。
【００５０】
ステップＳ２０４では、コピー領域に存在する文字列を削除する。そして、本フローチャートの処理を終了する。
【００５１】
ステップＳ２０５では、全クリップボードに対してＳ２０６、Ｓ２０７の処理を実行する。
【００５２】
ステップＳ２０６では、処理対象のクリップボードのコピー領域にすでに文字列が存在するかを判定する。
【００５３】
文字列が存在する場合は、処理をステップＳ２０７に移行する。
【００５４】
文字列が存在しない場合は、未処理のクリップボードに対する処理に移行する。
【００５５】
ステップＳ２０７では、コピー領域に存在する文字列を削除する。
【００５６】
以上の処理により、スワイプアウト操作が行われた場合は、当該操作の方向に対応付けられたクリップボードに記憶された文字列を削除することが可能となる。
【００５７】
また、シェイク操作が行われた場合は、すべてのクリップボードに記憶された文字列を削除することが可能となる。
【００５８】
次に図１０のフローチャートを用いて、ペースト処理（Ｓ１０４）の詳細について説明する。
【００５９】
ステップＳ３０１では、スワイプイン方向のクリップボードを選択する。具体的には、ユーザにより画面の右端（右辺）からスワイプされた場合には、右辺に対応付けられたクリップボードを選択する。同様に、上辺・左辺・下辺からスワイプされた場合には、上辺・左辺・下辺に対応付けられたクリップボードを選択する。
【００６０】
ステップＳ３０２では、ステップＳ３０１で選択したクリップボードのコピー領域に文字列が存在するか（すなわち、すでにコピーされた文字列が存在するか）を判定する。
【００６１】
文字列が存在する場合（ステップＳ３０２：ＹＥＳ）は、処理をステップＳ３０３に移行する。
【００６２】
文字列が存在しない場合（ステップＳ３０２：ＮＯ）は、本フローチャートの処理を終了する。
【００６３】
ステップＳ３０３では、コピー領域に存在する文字列データを取得する。
【００６４】
ステップＳ３０４では、ユーザの指が反された位置を挿入位置として取得する。
【００６５】
ステップＳ３０５では、挿入位置にステップＳ３０３で取得した文字列データを貼り付ける。
【００６６】
そして本フローチャートの処理を終了する。
【００６７】
以上の処理により、各クリップボードのコピー領域に記憶された文字列を、ユーザの指定する位置に貼り付けることが可能となる。
【００６８】
次に図１１のフローチャートを用いて、コピー処理（Ｓ１０５）の詳細について説明する。
【００６９】
ステップＳ４０１では、スワイプアウト方向のクリップボードを選択する。
【００７０】
ステップＳ４０２では、ステップＳ４０１で選択したクリップボードのコピー領域に文字列が存在するかを判定する。
【００７１】
存在する場合（ステップＳ４０２：ＹＥＳ）は、処理をステップＳ４０４に移行する。
【００７２】
存在しない場合（ステップＳ４０２：ＮＯ）は、処理をステップＳ４０３に移行する。
【００７３】
ステップＳ４０３では、ステップＳ４０１で選択したクリップボードのコピー領域に、ユーザにより選択された文字列をコピーする。
【００７４】
ステップＳ４０４では、スワイプアウト操作がマルチタッチ（複数の指）により操作されたのか、シングルタッチ（１本の指）による操作であるかを判定する。
【００７５】
マルチタッチによる操作である場合（ステップＳ４０４：ＹＥＳ）は、処理をステップＳ４０５に移行する。
【００７６】
シングルタッチによる操作である場合（ステップＳ４０４：ＮＯ）は、処理をステップＳ４０６に移行する。
【００７７】
ステップＳ４０５では、コピー領域に存在する既存文字列の末尾に改行コードを付加する。
【００７８】
ステップＳ４０６では、コピー領域に存在する既存文字列の末尾に、ユーザにより選択された文字列を追加コピーする。
【００７９】
以上の処理により、ユーザにより選択された文字列を所望のクリップボードの記憶することが可能となる。また、マルチタッチによりスワイプアウト操作が行われた場合には、改行した上で記憶することが可能となる。
【００８０】
なお、本発明は、例えば、システム、装置、方法、プログラムもしくは記録媒体等としての実施態様をとることが可能である。具体的には、複数の機器から構成されるシステムに適用しても良いし、また、一つの機器からなる装置に適用しても良い。
【００８１】
また、本発明におけるプログラムは、図８〜図１１に示すフローチャートの処理方法をコンピュータが実行可能なプログラムであり、本発明の記憶媒体は図８〜図１１の処理方法をコンピュータが実行可能なプログラムが記憶されている。なお、本発明におけるプログラムは図８〜図１１の各装置の処理方法ごとのプログラムであってもよい。
【００８２】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読み出し、実行することによっても本発明の目的が達成されることは言うまでもない。
【００８３】
この場合、記録媒体から読み出されたプログラム自体が本発明の新規な機能を実現することになり、そのプログラムを記録した記録媒体は本発明を構成することになる。
【００８４】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク等を用いることが出来る。
【００８５】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００８６】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００８７】
また、本発明は、複数の機器から構成されるシステムに適用しても、ひとつの機器から成る装置に適用しても良い。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【００８８】
さらに、本発明を達成するためのプログラムをネットワーク上のサーバ、データベース等から通信プログラムによりダウンロードして読み出すことによって、そのシステムあるいは装置が、本発明の効果を享受することが可能となる。なお、上述した各実施形態およびその変形例を組み合わせた構成も全て本発明に含まれるものである。
【符号の説明】
【００８９】
１０１  情報処理装置
【図１】
2019040412.tif 000003
【図２】
2019040412.tif 000004
【図３】
2019040412.tif 000005
【図４】
2019040412.tif 000006
【図５】
2019040412.tif 000007
【図６】
2019040412.tif 000008
【図７】
2019040412.tif 000009
【図８】
2019040412.tif 000010
【図９】
2019040412.tif 000011
【図１０】
2019040412.tif 000012
【図１１】
2019040412.tif 000013